(57)【要約】【課題】遠心ファンの羽根の間を通る空気を効率良く加熱することが可能な温風発生装置及びこれを用いた生ごみ処理機を提供することを目的とする。【解決手段】ヒータ１を取り囲むように遠心ファン２を配置し、遠心ファン２はモータ３によって駆動回転される。遠心ファン２の吸気側から入った空気はヒータ１の近傍を通過することでまず加熱されると同時に、ヒータ１からの輻射熱によって遠心ファン２が加熱され、遠心ファン２の羽根の間を通過する空気を再度加熱することが可能となり、効率よく空気を加熱し温風を生成することができる。【選択図】図１
2009257660.tif 000002
【特許請求の範囲】
【請求項１】
金属で形成した遠心ファンと、前記遠心ファンの羽根の内側に配置したヒータとからなる温風発生装置。
【請求項２】
ヒータの表面に接触するように金属製の放熱板を設けたことを特徴とした請求項１記載の温風発生装置。
【請求項３】
請求項１または２に記載の温風発生装置を生ごみの乾燥装置として用いた生ごみ処理機。
【発明の詳細な説明】
【技術分野】
【０００１】
本発明は、ヒータの加熱により温風を発生する温風発生装置及びこれを用いた生ごみ処理機に関するものである。
【背景技術】
【０００２】
従来のこの種の生ごみ処理機について、図５を用いて説明する。図５は従来の生ごみ処理機の断面図を示すもので、１０１は生ごみ処理機本体、１０２は生ごみを収納する生ごみ収納部で、底面に生ごみを攪拌する攪拌羽根１０３を備えている。この生ごみ収納部１０２の上部に生ごみを加熱して乾燥する加熱手段１０６を配しており、加熱手段１０６は生ごみ収納容器１０２内の空気を循環させる乾燥ファン１０８と、その外周を取り囲むように配置された乾燥ヒータ１０７から構成されている。ここで、乾燥工程における生ごみ収納容器１０２内の空気の流れを説明する。生ごみ収納容器１０２内の空気は、乾燥ファン１０８を回転させると、前記乾燥ファン１０８の中央付近から外周方向へと流れ、前記乾燥ヒータ１０７の近傍を通り温風となり、生ごみ収納容器１０２の壁面に沿って下降し、生ごみ表面に吹き付け、再び生ごみ収納容器の中央付近を上昇し、乾燥ファン１０８の中央部へと戻る。
【０００３】
また、乾燥ヒータ１０７や乾燥ファン１０８等の回転部や高温部は、使用者が指などを触れることがないよう、安全のため保護カバー１１０が取り付けられている。
【０００４】
生ごみ収納部１０２の上方には吸気口１１１が設けられており、この吸気口１１１は生ごみ収納部１０２をから接続パイプ１１２を通じて脱臭手段１１３に接続されている。脱臭手段１１３は加熱されて臭気を脱臭する触媒１１４と、触媒を加熱する触媒加熱ヒータ１１５で構成さている。脱臭手段１１３の下段には、排気手段１１６を備え、脱臭された空気を排気口１１７より本体の外部へと排出する（例えば、特許文献１参照）。
【特許文献１】特開２００５−２１８９２９号公報
【発明の開示】
【発明が解決しようとする課題】
【０００５】
上記従来の生ごみ処理機において、特許文献１に示された生ごみ処理機の温風発生装置は、乾燥ファンの外周を取り囲むように配置した乾燥ヒータに対して、空気を吹き付けて温風とし、生ごみに吹き付ける構成となっている。しかしながら、上記構成では生ごみの乾燥効率を高めるために乾燥ファンからの送風量を増やした場合、乾燥ヒータの表面積が小さいため、空気を十分に加熱できないという課題がある。
【０００６】
また、これを補う方法として、乾燥ヒータ表面に金属性の薄板を接触するように取り付け放熱板とすることで、乾燥ヒータから空気への熱の伝達効率を高めることが考えられるが、上記にある生ごみ処理機のように、比較的小さな空間（生ごみ収納容器）内の空気を循環させて被乾燥物（生ごみ）を乾燥させる機器の場合、器機の長期に亘って使用するにつれて、被乾燥物から発生した細かな塵やカスが前記放熱板表面や近傍に堆積し、発煙や発火などの原因となる可能性があり、安全上好ましいとは言いにくい。
【課題を解決するための手段】
【０００７】
上記課題を解決するために、本発明の温風発生装置は、金属で形成した遠心ファンと、前記遠心ファンの羽根の内側に配置したヒータとからなるもので、ヒータからの輻射熱によって前記遠心ファンの羽根が加熱され、遠心ファンの羽根の間を通る空気を効率良く加熱することが可能となる。ここで、遠心ファンの羽根の面積は前記ヒータの表面積よりも大きく、また、ヒータを遠心ファンの羽根の内側に近接して配置することが望ましく、こうすることでヒータからの輻射熱を十分に遠心ファンに伝達することができ、遠心ファンの羽根の間を通過する空気を効果的に加熱することが可能となる。また、この温風発生装置を生ごみ処理機の乾燥装置として採用すれば、従来の性能を維持しつつ、機器の小型化を行うことが出来ると共に、ヒータの周囲を遠心ファンの羽根が回転するため、ヒータ近傍に塵などが堆積することもなく、発煙や発火などを防ぐことが可能となる。
【発明の効果】
【０００８】
本発明の温風発生装置によると、金属で形成した遠心ファンの内側にヒータを配置することで、ヒータからの輻射熱によって前記遠心ファンの羽根を加熱し、遠心ファンの羽根の間を通る空気を効率良く加熱することが可能となる。
【発明を実施するための最良の形態】
【０００９】
第１の発明は、金属で形成した遠心ファンと、前記遠心ファンの羽根の内側に配置したヒータとからなることを特徴としたもので、ヒータからの輻射熱によって前記遠心ファンの羽根が加熱され、遠心ファンの羽根の間を通る空気を効率良く加熱することが可能となる。ここで、遠心ファンの羽根の面積は前記ヒータの表面積よりも大きく、また、ヒータを遠心ファンの羽根の内側に近接して配置することが望ましく、こうすることでヒータからの輻射熱を十分に遠心ファンに伝達することができ、遠心ファンの羽根の間を通過する空気を効果的に加熱することが可能となる。また、ヒータからの輻射熱の大部分を遠心ファンの羽根で受けることになるので、ファンケースから装置外への無駄な放熱を減らすことが可能となり省エネを図ることが出来る。
【００１０】
第２の発明は、ヒータの表面に接触するように金属製の放熱板を設けたことを特徴としたものであり、ヒータ表面に取り付けた放熱板によって、空気を加熱するための表面積を拡大し、より効果的に空気を加熱することが可能となる。
【００１１】
第３の発明は、第１または第２の発明の温風発生装置を生ごみの乾燥装置として用いたもので、従来の乾燥性能を維持しつつ、乾燥装置を小型化でき、機器全体の小型化が可能となる。
【００１２】
以下、本発明の実施の形態について、図面を参照しながら説明する。なお、この実施の形態によって本発明が限定されるものではない。
【００１３】
（実施の形態１）
図１、２は、本発明の第１の実施の形態における温風発生装置の概略図である。図において１はヒータであり、ヒータ１を取り囲むように遠心ファン２が配置され、遠心ファン２はモータ３によって駆動回転される。ここで、遠心ファン２の吸気側から入った空気はヒータ１の近傍を通過することでまず加熱される。同時に、ヒータ１からの輻射熱によって遠心ファン２が加熱され、遠心ファン２の羽根の間を通過する空気を再度加熱することができる。また、ヒータ１および、遠心ファン２はファンケース５に内包されている。ファンケース５には空気の取り入れ口となる吸込口６と、温風を吹き出すための吹出口７が形成されており、吸込口６と吹出口７の向きを変更することで、本温風発生装置を用いる機器の特性に適した構成を実現することができる。
【００１４】
（実施の形態２）
図３は本発明の第２の実施の形態を示すもので、上記温風発生装置を用いた生ごみ処理機の概略図である。生ごみ処理機の場合、温風を生ごみに効果的に吹き付けるため、吹出口を小さくすることで温風の吹き出す勢いを増したり、または温風を直接生ごみに吹き付けるように風向を調節することができる。ここで、図３において、１１は生ごみ処理機本体であり、生ごみ収納容器１２は生ごみ処理機本体１１に格納されている。生ごみ処理機本体１１にはヒータ１と遠心ファン２を内包したファンケース５が配置されている。生ごみ収納容器１２の開口部は蓋部１８によって覆われており、前記蓋部１８の内部にはファンケース５からの温風を生ごみ収納容器１２内へ送風するための送風経路２５と、生ごみ収納容器内の空気をファンケース５側へと戻すための排気経路２６が形成されている。ファンケース５の吹出口７から吹出した温風は送風経路を通り、生ごみの表面へ吹きつけられ、生ごみに含まれる水分を蒸発させる。生ごみから発生した蒸気は排気経路２６を通ってファンケース側へ戻る。生ごみから発生した蒸気は臭気を伴ったものであるが、ファンケース５の外壁に設けられた吸気口３１から、接続パイプ３２を経て脱臭手段３３に送られ、臭気を脱臭される。脱臭手段３３の下段には、排気手段３６を備え、脱臭された空気を排気口３７より本体の外部へと排出する。
【００１５】
以上の構成により、従来の性能を維持しつつ、機器の小型化を行うことが出来ると共に、ヒータの周囲を遠心ファンの羽根が回転するため、ヒータ近傍に塵などが堆積することもなく、発煙や発火などを防ぐことが可能となる。
【００１６】
（実施の形態３）
図４は、本発明の第３の実施の形態における温風発生装置の断面図で、図１と同一の部位については同一の番号を付与するものとし、説明を省略する。図４において、遠心ファン２の内側に配置されたヒータ１には、その表面に接するように、金属製の薄板からなる放熱板４が取り付けられている。これにより、空気を加熱するための表面積を拡大し、より効果的に空気を加熱することが可能となる。また、同時に、放熱板４を遠心ファン２の羽根の内側に近接するように配置することで、ヒータ１からの熱を遠心ファン２に伝えやすくすることが可能となる。
【産業上の利用可能性】
【００１７】
以上のように、本発明にかかる温風発生装置は、ヒータを金属性の遠心ファンの内側に配置し、ヒータからの輻射熱を遠心ファンで受けることで、遠心ファンの羽根を加熱し、ヒータおよび、遠心ファンを通過する空気を効果的に加熱することが可能となり、この温風機を用いた機器の小型化を図ることが出来る。
【図面の簡単な説明】
【００１８】
【図１】（ａ）本発明の第１の実施の形態における温風発生装置の断面図、（ｂ）（ａ）のＡ矢視図
【図２】本発明の第１の実施の形態における温風発生装置の部分斜視図
【図３】本発明の第２の実施の形態における温風発生装置を用いた生ごみ処理機の断面図
【図４】本発明の第３の実施の形態における温風発生装置の部分断面図
【図５】従来の生ごみ処理機の断面図
【符号の説明】
【００１９】
１    ヒータ
２    遠心ファン
３    モータ
４    放熱板
５    ファンケース
６    吸込口
７    吹出口
１１  本体
１２  生ごみ収納容器
１８  蓋部
２５  送風経路
２６  排気経路
３１  吸気口
３２  接続パイプ
３３  脱臭手段
３６  排気手段
３７  排気口
【図１】
2009257660.tif 000003
【図２】
2009257660.tif 000004
【図３】
2009257660.tif 000005
【図４】
2009257660.tif 000006
【図５】
2009257660.tif 000007